(57)【要約】  【課題】  筆記体を軸筒から突出させようと前進させると、前記コイルスプリングが圧縮され、その圧縮動作によって形成される座巻き部が軸筒の内径部、或いは、筆記体の外径部、或いは、隙間に食い込んでしまうことがあった。即ち、軸筒の内径部や筆記体の外径部に接触しているため、圧縮された座巻き部が引っ掛かってしまい復元しなくなってしまう。その結果、コイルスプリングの圧縮された状態が維持されてしまい、没入操作を行っても、突出した筆記体が没入しなくなってしまう。  【解決手段】  軸筒に筆記体ユニットが出没可能に配置された出没式筆記具であって、前記軸筒内に筆記体ユニットを没入方向に向けて付勢する弾発部材を配置し、その弾発部材の端部近傍を円錐形状になすと共に、その円錐部の中間部を軸筒に係止させた出没式筆記具。【選択図】  図２
2008080765.tif 000002
【特許請求の範囲】
【請求項１】
軸筒に筆記体ユニットが出没可能に配置された出没式筆記具であって、前記軸筒内に筆記体ユニットを没入方向に向けて付勢する弾発部材を配置し、その弾発部材の端部近傍を円錐形状になすと共に、その円錐部の中間部を軸筒に係止させたことを特徴とする出没式筆記具。
【請求項２】
前記軸筒の内面に係止筒を設けると共に、その係止筒の外面に前記弾発部材の円錐部の内面を圧入させたことを特徴とする請求項１記載の出没式筆記具。
【請求項３】
前記弾発部材をコイルスプリングにすると共に、そのコイルスプリングの円錐部を座巻き部としたことを特徴とする請求項１、或いは、請求項２に記載の出没式筆記具。
【発明の詳細な説明】
【技術分野】
【０００１】
本発明は、軸筒に筆記体ユニットが出没可能に配置された出没式筆記具に関する。
【背景技術】
【０００２】
軸筒の内部に筆記体を出没可能に配置した筆記具が、数多く市販され、また、種々の発明（考案）もなされている。その代表例として、クリップを軸筒の長手方向に移動させることによって、前記筆記体を出没させる機構がある。その筆記体は、軸筒と筆記体の隙間に配置されたコイルスプリングによって没入する方向に常に付勢されており、前記クリップを前進させることによって、筆記体が突出するようになっている。そして、クリップと軸筒との係合を解除することによって、また、前記コイルスプリングの復元力によって、筆記体を軸筒内に没入するようにしている。
【０００３】
【特許文献１】実開平２−５６６９１号公報。
【発明の開示】
【発明が解決しようとする課題】
【０００４】
しかし、上述した従来の技術にあっては、コイルスプリングが軸筒と筆記体の隙間に配置されており、また、コイルスプリングの外径部は軸筒の内径部に、そして、コイルスプリングの内径部は筆記体の外径部に接触している。この様な状態において、筆記体を軸筒から突出させようと前進させると、前記コイルスプリングが圧縮され、その圧縮動作によって形成される座巻き部が軸筒の内径部、或いは、筆記体の外径部、或いは、隙間に食い込んでしまうことがあった。即ち、軸筒の内径部や筆記体の外径部に接触しているため、圧縮された座巻き部が引っ掛かってしまい復元しなくなってしまうのである。そして、その結果、コイルスプリングの圧縮された状態が維持されてしまい、没入操作を行っても、突出した筆記体が没入しなくなってしまうのである。
【課題を解決するための手段】
【０００５】
本発明は、軸筒に筆記体ユニットが出没可能に配置された出没式筆記具であって、前記軸筒内に筆記体ユニットを没入方向に向けて付勢する弾発部材を配置し、その弾発部材の端部近傍を円錐形状になすと共に、その円錐部の中間部を軸筒に係止させたことを要旨とする。
【発明の効果】
【０００６】
本発明は、軸筒に筆記体ユニットが出没可能に配置された出没式筆記具であって、前記軸筒内に筆記体ユニットを没入方向に向けて付勢する弾発部材を配置し、その弾発部材の端部近傍を円錐形状になすと共に、その円錐部の中間部を軸筒に係止させたこので、筆記体ユニットの出没動作が良好な筆記具を提供することができる。
【発明を実施するための最良の形態】
【０００７】
軸筒１内に配置される筆記体ユニット２が、ボールペン体の例を挙げ説明する。樹脂材質からなる軸筒１は、前軸３と後軸４とから構成されており、前記前軸３の先端部には、先部材５が圧入や接着などの手段によって固定されているが、その先部材５を前軸３と一体成形などしても良い。また、前軸３の前方部には、シリコーンゴムや熱可塑性エラストマー、コルクなどの弾性体からなるグリップ部材６が装着されているが、そのグリップ部材６は前軸３の中間部に形成された鍔部７と前記先部材５の中間段部８によって挟みこまれるようにして前軸３に固定されている。しかし、前軸３の表面にローレットやブラスト加工を施すなどして、前軸３の表面自体にグリップ部を形成しても良い。部品の費用が削減できると共に、組み立て工数も削減することができ、もって、安価な製品を提供することができるようになる。
また、前記後軸４の後部には、カム溝が形成されたカム筒９が挿着されており、そのカム筒９の内側には回転子１０が前後動可能に、かつ,回転可能に挿着されている。その回転子１０の後方であって、かつ、前記カム筒９の内側には、前記回転子９に回転動作を付与するための摺動子１１が前後動可能に挿着されているが、その摺動子１０の後方には延出部１２が形成されている。そして、その摺動子１１の延出部１２には、摺動子１０を前後動させるための押圧部材１３が嵌め込まれている。その押圧部材１３には、金属材質からなるノクキャップ１４が被覆されており、そのノックキャップ１４に指を当接させ、押圧することによって、前記摺動子１１に前進動作を付与させている。所謂、デビットカム機構と称される出没機構であり、ノックキャップ１４を押圧する度に、筆記体ユニット２の突出動作と没入動作が交互に行われるものとなっている。尚、前記押圧部材１３とカム筒９の後端部との間には、コイルスプリングなどの弾発部材１５が張設されており、前記押圧部材１５を後方に向けて付勢している。筆記体ユニット２が突出状態にあっても、ノックキャップ１４を軸筒１の後端から突出させておくためになされた手段であるが、必ずしも必要な構成ではない。
【０００８】
前記回転子９の前方には、筆記体ユニット２であるボールペン体が、その後端を当接させた状態で配置されている。即ち、筆記体ユニット２は、その筆記体ユニット２の中間部にかしめ加工によって形成された膨出部１６と先部材５との間に張設されたコイルスプリングなどの弾発部材１７によって後方に付勢され、その弾発部材１７の付勢力によって、筆記体ユニット２の後端が前記回転子１０の前端面に圧接されているのである。つまり、前記ノックキャップ１４に押圧操作を加えることによって、筆記体ユニット２が弾発部材１７の弾発力に抗して前進し、その筆記体ユニット２のペン先が軸筒１の先端開口部から突出するのである。そして、再度、ノックキャップ１４に押圧操作を加えれば、前記弾発部材１７の復元力によって筆記体ユニット２が後退し、その結果、ペン先が軸筒１内に没入するのである。
前記先部材５には、樹脂成形品からなる先具１８が圧入された状態で固定されており、その先具１８の後方部には、筒状の係止筒部１９が形成されている。その係止筒部１９には、Ｕ字型の切欠部２０が対向した位置に形成されているが、３箇所であっても良く、あるいは、４箇所に形成されていて良いが、等間隔な位置に形成するのが好ましい。その切欠部２０を形成することによって、先具１８の先部材５への組み立て性を良好なものとして入る。即ち、係止筒部１９が内径方向に撓むことによって、先具１８を先部材５に対して容易に組み付けることができるのである。
【０００９】
前記弾発部材１７について説明する。本例において、その弾発部材１７は金属材質からなるコイルスプリングをなしているが、これに限定されることなく、樹脂材質からなるコイルスプリングとしても良く、あるいは、前方部に円錐形部が形成された筒状のゴムやウレタンなどからなる弾性体であっても良い。本例のコイルスプリング（弾発部材１７）の前方には、４〜６巻き程度の座巻き部２１が形成されている。所謂、ループ状のコイルが密着している部分である。その座巻き部２１は、前方から後方に向けて縮径する円錐形状をなしている。そして、その座巻き部２１は、前記先具１８の係止筒部１９の後方部に外嵌しており、若干ではあるものの、係止筒部１９を内径方向に向けて撓ませている。即ち、座巻き部２１は、係止筒部１９に圧入された状態にあり、この圧入作用によって前記軸筒１からの脱落が防止されているのである。
また、前記座巻き部２１の中間部の内面、具体的には、前端を基準とし３巻き目に当たる座巻き部の内面が、係止筒部１９の後端面に当接している。この当接によって、弾発部材１７の前方への移動が阻止されている。座巻き部２１の中間部を延出筒部１９に当接させることによって、振れの少ない安定した弾発部材１７の取り付け手段が得られる。更に、座巻き部２１の後方部は、座巻き部２１よりも小径な縮径部２２が形成されているが、その縮径部２２の内径は前記筆記体ユニット２の外径よりも大きな直径を有している。しかし、その縮径部２２の外径は、前記先部材５の内径よりも小さなものとなっている。即ち、縮径部２２の少なくとも中間部においては、その内径部の表面と外径部の表面が前記筆記体ユニットの外径部、並びに、先部材５の内径部の表面と接触、並びに、擦れ合わないものとなっている。
尚、本例においては、円錐形状の座巻き部２１の前方部を前記先具１８の延出筒部１９と先部材５との間に形成された隙間２３に位置させ、かつ、圧入させた状態で挟み込ませている。座巻き部２１を隙間２３に圧入させることによって、弾発部材１７の延出筒部１９からの脱落防止がより一層向上されるものとなっている。
符号２４は、軸筒１の後方部に固定された金属材質で形成されたクリップであるが、軸筒１と一体成形するなどしても良い。また、符号２５は、前記先具１８の中間部に形成された円周リブであって、その円周リブ２５と先部材５の内面段部２６との係合によって、先具１８の脱落が防止されている。
【図面の簡単な説明】
【００１０】
【図１】本発明の１例を示す外観図。
【図２】図１の縦断面図。
【図３】図１の左側面断面図。
【図４】図３の要部拡大図。
【図５】先具を示す外観斜視図。
【図６】コイルスプリング（弾発部材）を示す外観斜視図。
【符号の説明】
【００１１】
１      軸筒
２      筆記体ユニット
３      前軸
４      後軸
５      先部材
６      グリップ部材
７      鍔部
８      中間段部
９      カム筒
１０    回転子
１１    摺動子
１２    延出部
１３    押圧部材
１４    ノックキャップ
１５    弾発部材
１６    膨出部
１７    弾発部材
１８    先具
１９    係止筒部
２０    切欠部
２１    座巻き部
２２    縮径部
２３    隙間
２４    クリップ
２５    円周リブ
２６    内面段部
【図１】
2008080765.tif 000003
【図２】
2008080765.tif 000004
【図３】
2008080765.tif 000005
【図４】
2008080765.tif 000006
【図５】
2008080765.tif 000007
【図６】
2008080765.tif 000008